(57)【要約】【課題】撮像装置を安価なセキュリティ機器として提供する。【解決手段】デジタルカメラに従来から備えられ、手振れ補正に用いられる振動センサ、照明用に用いられるストロボ発光部、動画撮影時などの集音に用いられるマイク、シャッタ音などの出力に用いるスピーカを使用してセキュリティモードを実現する。例えば、デジタルカメラを自動車のダッシュボードに設置し、セキュリティモードにすると、振動センサによって検出されるカメラボディの振動を介して自動車の振動を監視し、閾値を上回る振幅の振動を検出すると、防犯用の発光パターンでストロボ発光部を発光させるなどして防犯対策を講じる。【選択図】図５
2007325183.tif 000002
【特許請求の範囲】
【請求項１】
装置本体の振動を検出する振動検出手段を備えた撮像装置において、
被写体像を撮像するモードの他に、装置本体及び装置本体の周囲を監視し、防犯対策を講じるセキュリティモードを有し、
前記セキュリティモード下で、予め設定された閾値と比較することで、前記振動検出手段によって検出された振動の大きさを判定する振動判定手段と、
前記振動判定手段によって前記振動の大きさが前記閾値よりも大きいと判定された場合に、防犯対策として警告を発する警告手段と
を備えることを特徴とする撮像装置。
【請求項２】
装置本体周辺の音声を取得する音声取得手段を備えた撮像装置において、
被写体像を撮像するモードの他に、装置本体及び装置本体の周囲を監視し、防犯対策を講じるセキュリティモードを有し、
前記セキュリティモード下で、予め設定された閾値と比較することで、前記振動検出手段によって検出された音声の大きさを判定する音声判定手段と、
前記音声判定手段によって前記音声の大きさが前記閾値よりも大きいと判定された場合に、防犯対策として警告を発する警告手段と
を備えることを特徴とする撮像装置。
【請求項３】
発光して被写体を照明する発光部を備え、
前記警告手段は前記発光部であり、発光することによって前記警告を発することを特徴とする請求項１又は２記載の撮像装置。
【請求項４】
音声を出力するスピーカを備え、
前記警告手段は前記スピーカであり、音声を出力することによって前記警告を発することを特徴とする請求項１又は２記載の撮像装置。
【請求項５】
装置本体の振動を検出する振動検出手段と、
撮像した被写体画像を記憶する記憶手段と
を備えた撮像装置において、
被写体像を撮像するモードの他に、装置本体及び装置本体の周囲を監視し、防犯対策を講じるセキュリティモードを有し、
前記セキュリティモード下で、予め設定された閾値と比較することで、前記振動検出手段によって検出された振動の大きさを判定する判定手段を備え、
前記振動判定手段によって前記振動の大きさが前記閾値よりも大きいと判定された場合に、防犯対策として撮像を行い、前記記憶手段に前記被写体画像を記憶することを特徴とする撮像装置。
【請求項６】
装置本体周辺の音声を取得する音声取得手段と、
撮像した被写体画像を記憶する記憶手段と
を備えた撮像装置において、
被写体像を撮像するモードの他に、装置本体及び装置本体の周囲を監視し、防犯対策を講じるセキュリティモードを有し、
前記セキュリティモード下で、予め設定された閾値と比較することで、前記音声取得手段によって取得された音声の大きさを判定する音声判定手段を備え、
前記音声判定手段によって前記音声の大きさが前記閾値よりも大きいと判定された場合に、防犯対策として撮像を行い、前記記憶手段に前記被写体画像を記憶することを特徴とする撮像装置。
【発明の詳細な説明】
【技術分野】
【０００１】
本発明は、撮像装置及びセキュリティ機器に関する。
【背景技術】
【０００２】
被写体像をデジタルデータとして記録するデジタルカメラが普及しており、近年では、様々な機能が追加、あるいは強化されている。例えば、比較的安価なコンパクトデジタルカメラでさえ、振動を検知して取得画像のぶれを補正する手振れ補正機能を備えている。まして、ストロボ発光部などの発光部は、静止画撮影用のデジタルカメラに標準的に装備されている。また、このようなデジタルカメラは、操作案内音声、フォーカスの合焦音、又はシャッタ音などの合成音声を出力するスピーカを備えている。
【０００３】
一方、自動車の車両、あるいはタイヤホイールなどの自動車部品の窃盗、自動車内の金品を狙う車上荒しなどの犯罪が横行している。特に近年では、カーナビゲーションシステム、車載テレビ、ＤＶＤプレイヤなどの車載機器が普及している。したがって、自動車内に貴重品などを置き忘れていなくても、自動車自体に設置されているこれらの車載機器を目的とした車上荒しも跡を絶たない。
【０００４】
このような自動車又は自動車内の金品に対して損害を与える行為の被害に遭うことを未然に防止、あるいは抑止するためには、監視カメラ、警告用電飾、警報装置などのセキュリティ機器を自動車の内外に設置することが考えられる。例えば、自動車内の複数個所に監視カメラを設置し、映像や音声を記録する自動車用セキュリティ機器が知られている（例えば、特許文献１参照）。
【０００５】
また、運転中に自動車の後方を確認するためのバックモニタを、駐車時には監視カメラとして転用する例も知られている。このバックモニタを監視カメラに転用する例では、バックモニタから取得される映像を確認するためのディスプレイが自動車から着脱自在であって、バックモニタからの監視映像を自動車外から確認することができるようになっている（特許文献２参照）。
【特許文献１】特開２００２−３２５２５０号広報
【特許文献２】特開２００２−３７０６２０号広報
【発明の開示】
【発明が解決しようとする課題】
【０００６】
しかしながら、例えば、自動車用のセキュリティ機器は、未だ普及しているとは言い難い。その要因のひとつは、これらの自動車用セキュリティ機器の価格にある。上述した例のように、複数の監視カメラを設置したり、バックモニタを監視カメラにする場合、その防犯効果は十分に得られるとしても、設備としては非常に大掛かりなものであり、設置するにはある程度の技術が必要であり、さらには価格自体が高額でもある。
【０００７】
本発明は、上述のような問題点を改善するためになされたものであり、既に一般に普及しているデジタルカメラなどの撮像装置自体の構成のみを用いて、セキュリティ機能を実現することで、撮像装置を安価なセキュリティ機器として提供することを目的とする。
【課題を解決するための手段】
【０００８】
本発明の撮像装置は、装置本体の振動を検出する振動検出手段を備えており、被写体像を撮像するモードの他に、装置本体及び装置本体の周囲を監視し、防犯対策を講じるセキュリティモードを有し、前記セキュリティモード下で、予め設定された閾値と比較することで、前記振動検出手段によって検出された振動の大きさを判定する振動判定手段と、前記振動判定手段によって前記振動の大きさが前記閾値よりも大きいと判定された場合に、防犯対策として警告を発する警告手段とを備えることを特徴とする。
【０００９】
本発明の撮像装置は、装置本体周辺の音声を取得する音声取得手段を備えており、被写体像を撮像するモードの他に、装置本体及び装置本体の周囲を監視し、防犯対策を講じるセキュリティモードを有し、前記セキュリティモード下で、予め設定された閾値と比較することで、前記振動検出手段によって検出された音声の大きさを判定する音声判定手段と、前記音声判定手段によって前記音声の大きさが前記閾値よりも大きいと判定された場合に、防犯対策として警告を発する警告手段とを備えることを特徴とする。
【００１０】
また、発光して被写体を照明する発光部を備え、前記警告手段は前記発光部であり、発光することによって前記警告を発することを特徴とする。
【００１１】
また、音声を出力するスピーカを備え、前記警告手段は前記スピーカであり、音声を出力することによって前記警告を発することを特徴とする。
【００１２】
本発明の撮像装置は、装置本体の振動を検出する振動検出手段と、撮像した被写体画像を記憶する記憶手段とを備えており、被写体像を撮像するモードの他に、装置本体及び装置本体の周囲を監視し、防犯対策を講じるセキュリティモードを有し、前記セキュリティモード下で、予め設定された閾値と比較することで、前記振動検出手段によって検出された振動の大きさを判定する判定手段を備え、前記振動判定手段によって前記振動の大きさが前記閾値よりも大きいと判定された場合に、防犯対策として撮像を行い、前記記憶手段に前記被写体画像を記憶することを特徴とする。
【００１３】
本発明の撮像装置は、装置本体周辺の音声を取得する音声取得手段と、撮像した被写体画像を記憶する記憶手段とを備えており、被写体像を撮像するモードの他に、装置本体及び装置本体の周囲を監視し、防犯対策を講じるセキュリティモードを有し、前記セキュリティモード下で、予め設定された閾値と比較することで、前記音声取得手段によって取得された音声の大きさを判定する音声判定手段を備え、前記音声判定手段によって前記音声の大きさが前記閾値よりも大きいと判定された場合に、防犯対策として撮像を行い、前記記憶手段に前記被写体画像を記憶することを特徴とする。
【発明の効果】
【００１４】
本発明の撮像装置は、装置本体の振動を検出し、その振動の大きさを予め定められた閾値と比較することで装置本体及び装置本体の周囲を監視し、防犯対策を講じるセキュリティモードを有する。装置本体の振動を検出する手段は、本来、撮像時のために撮像装置に備えられているものであり、セキュリティモードを実現するために新たな部品を必要としないから、撮像装置をセキュリティ機器として安価に提供することができる。
【００１５】
また、本発明の撮像装置は、装置本体の周囲の音声を検出し、その音声の大きさを予め定められた閾値と比較することで装置本体及び装置本体の周囲を監視し、防犯対策を講じるセキュリティモードを有する。装置本体の周囲の音声を検出する手段は、本来、撮像時のために撮像装置に備えられているものであり、セキュリティモードを実現するために新たな部品を必要としないから、撮像装置をセキュリティ機器として安価に提供することができる。
【００１６】
また、セキュリティモード下での防犯対策として、警告を発する際に発光する発光部は、本来、撮像時に光量不足を補うために撮像装置に備えられているものであるから、セキュリティモードを実現するために新たな部品を必要としないから、撮像装置をセキュリティ機器として安価に提供することができる。
【００１７】
また、セキュリティモード下での防犯対策として、警告を発する際に出力される音声は、撮像時などに音声を出力するスピーカから出力されるので、セキュリティモードを実現するために新たな部品を必要としないから、撮像装置をセキュリティ機器として安価に提供することができる。
【００１８】
また、本発明の撮像装置は、セキュリティモード下で、防犯対策として撮像し、記憶するが、撮像自体は撮像装置本体の本来の機能であるから、セキュリティモードを実現するために新たな部品を必要としないから、撮像装置をセキュリティ機器として安価に提供することができる。
【発明を実施するための最良の形態】
【００１９】
図１に示すように、本発明を実施したデジタルカメラ５（撮像装置）のカメラボディ６（装置本体）は、略直方体状に形成される。カメラボディ６の上面には、撮影実行を指示するレリーズボタン１１と、電源のＯＮ／ＯＦＦを切り替えるための電源ボタン１２とが設けられている。レリーズボタン１１は、静止画を撮影するときには２段階の押圧操作ができる。半押し時には、自動露出調整（ＡＥ）や自動焦点調節（ＡＦ）などの撮影準備動作が行われ、全押し時に画像の記録が行われる。動画撮影時には、レリーズボタン１１を押圧操作することによって動画の記録及び記録停止を切り替えることができる。なお、カメラボディ６の底部には、後述する振動センサ８６が設けられている。
【００２０】
また、カメラボディ６の前面には、レンズ鏡胴１３、光学ファインダ１４の前面、ストロボ発光部１６（発光部、警告手段）、及びマイク１７（音声取得手段）が配設されている。レンズ鏡胴１３は撮像レンズ１８を保持し、撮像レンズ１８を使用するときには、カメラボディ６から突出位置（図１参照）へ移動する。また、撮像レンズ１８を使用しないときには、レンズ鏡胴１３は沈胴位置（図示しない）へ移動してカメラボディ６に収納される。光学ファインダ１４は、被写体像を光学的に確認しながらフレーミングを行うためにある。ストロボ発光部１６は、レリーズボタン１１を押圧して撮影を実行する際に、被写体に向けて光を発する。マイク１７は、動画を取得する際に、動画とともに音声を同時収録する。
【００２１】
図２に示すように、カメラボディ６の背面には、光学ファインダ１４の背面、液晶パネル２１と操作部２２とが設けられている。液晶パネル２１には、撮影した画像、撮影時のスルー画像、及び各種のメニュー画面などが表示される。操作部２２は、ズーム操作ボタン２３、メニューボタン２４、表示切替ボタン２６、十字キー２７、モード切替スイッチ２８などから構成される。ズーム操作ボタン２３は、撮影時には撮像レンズ１８を広角側または望遠側に移動させ、画像再生時には液晶パネル２１に表示される画像を拡大または縮小する。メニューボタン２４は、液晶パネル２１にメニュー画面を表示する際や選択内容を決定する際などに操作される。表示切替ボタン２６は、メニュー画面の表示項目などを切り替えるために操作される。十字キー２７は、メニュー画面内のカーソルを移動させる。
【００２２】
モード切替スイッチ２８は、デジタルカメラ５の動作モードを切り替える。動作モードには、静止画撮影を行う静止画撮影モード、動画撮影を行う動画撮影モード、液晶パネル２１に画像を再生表示する再生表示モード、カメラボディ６の振動の大きさやデジタルカメラ５の周囲の音声の大きさ取得し、これらを予め定められた閾値と比較することでデジタルカメラ５の周囲を監視し、閾値を上回る振幅の振動や閾値を上回る音量の音声を検出した場合には防犯対策を講じるセキュリティモードなどがある。
【００２３】
また、カメラボディ６の左側面には、メモリカード３１（記憶手段）を着脱自在に保持するメディアスロット３２と、このメディアスロット３２を保護するスロットカバー３３と、スピーカ３４（警告手段）が配設されている。メモリカード３１は、撮影した静止画像や動画を記憶する記憶媒体である。また、スピーカ３４は、静止画を撮影する時にレリーズボタン１１が押圧されるとシャッタ音を出力するなど、音声を出力する。
【００２４】
デジタルカメラ５の内部は、図３に示すように、電気的に構成されている。ＣＰＵ４０は、操作部２２などから入力される操作指示に基づいて、デジタルカメラ５の全体を統括的に制御する。撮像レンズ１８は、ズームレンズ５１、絞り５３、フォーカスレンズ５２によって構成されている。ズームレンズ５１及びフォーカスレンズ５２は、光軸に沿って移動自在に設けられており、それぞれ変倍と焦点調節を行う。ズームレンズ５１は、ズーム操作ボタン２３によるズーム操作にしたがって移動し、ズーム倍率を変化させる。フォーカスレンズ５２は、ズームレンズの変倍やレリーズボタン１１の半押しにともなって、至近側又は無限縁側に移動して、ピントを調節する。絞り５３は、レリーズボタン１１の半押しにともなって作動し、絞り開口面積を変化させることによって撮影光量を調節する。これらは、レンズモータ５４によって駆動される。レンズモータ５４は、ＣＰＵ４０に接続されたモータドライバ５６によって制御される。
【００２５】
撮像レンズ１８の背後には、撮像レンズ１８を透過した被写体像を撮像するＣＣＤ６１が配置されている。ＣＣＤ６１は、ＣＰＵ４０によって制御されるＣＣＤドライバ６２によって駆動される。ＣＣＤ６１から出力されたアナログの撮像信号は、相関二重サンプリング回路（ＣＤＳ）６６に入力されてノイズが除去されるとともに、増幅器（ＡＭＰ）６７で増幅される。そして、Ａ／Ｄ変換機（Ａ／Ｄ）６８によってデジタル名画像データに変換される。Ａ／Ｄ６８から出力された画像データは、ＣＣＤ６１の各セルの蓄積電荷量に正確に対応したＲ、Ｇ、Ｂの画像データとしてＤＳＰ（Digital Signal Processor）６９へ入力される。
【００２６】
ＤＳＰ６９には、画像入力コントローラ７１、画質補正処理回路７２、ＹＣ変換処理回路７３、圧縮伸張処理回路７４が設けられている。ＤＳＰ６９は、画像データをＳＤＲＡＭ８１に一時的に記録して、各種画像処理を施す。画像入力コントローラ７１は、Ａ／Ｄ６８から入力された画像データをバッファリングして、データバス８４を介して接続されたＳＤＲＡＭ８１へ画像データを書き込む。ＳＤＲＡＭ８１は、作業用メモリであり、画像データや、ＣＰＵ４０によって実行される制御用プログラムがロードされる。ＥＥＰＲＯＭ８２には、前記制御用プログラムや設定情報などが格納される。
【００２７】
さらに、データバス８４を介して、露出量、すなわち電子シャッタのシャッタ速度と絞り５３の絞り値とが撮影に適切か否かを検出するとともに、ホワイトバランスが撮影に適切か否かを検出するＡＥ／ＡＷＢ検出回路（図示せず）とが接続されている。ＣＰＵ４０は、これらの検出結果に基づいて、撮像レンズ１８を制御する。
【００２８】
画質補正処理回路７２は、ＳＤＲＡＭ８１からの画像データを読み出して、階調変換、ホワイトバランス補正、γ補正処理などの各種画像補正処理を施し、この画像データを再度ＳＤＲＡＭ８１に記録する。ＹＣ変換処理回路７３は、画質補正処理回路７２で処理された画像データをＳＤＲＡＭ８１から読み出し、輝度信号Ｙと色差信号Ｃｒ、Ｃｂとに変換する。圧縮伸張処理回路７４は、ＹＣ変換された画像データを、例えば、所定の方式で圧縮して、ＴＩＦＦやＪＰＥＧなどといった所定のファイル形式で出力する。圧縮された画像データは、メディアコントローラ８８を経由してメモリカード３１に記録される。
【００２９】
ＣＣＤ６１は、レリーズボタン１１が全押しされたときに画素数の大きな本画像データを出力するとともに、液晶パネル２１へスルー画を表示するための画素数の小さなスルー画像を出力する。スルー画像の出力は、スルー表示をオンしている間、毎秒３０フレームのフレームレートで行われ、ＣＣＤ６１が出力したスルー画像は、本画像データと同様に、ＳＤＲＡＭ８１へ一時的に記録される。本画像データは、上述の各種画像処理が施された後、メモリカード３１に記憶されるのに対して、スルー画像データは、ＳＤＲＡＭ８１から読み出されて、エンコーダ８９によってアナログコンポジット信号に変換されて、液晶パネル２１にビデオ出力される。ＳＤＲＡＭ８１、内にはスルー画像データを格納するＶＲＡＭ領域が確保されており、ＶＲＡＭ領域内のスルー画像は、上記フレームレートに合わせて随時更新されて液晶パネル２１に出力される。
【００３０】
マイク１７から取得される音声は、動画撮影モードの場合、音声データ処理回路（図示しない）によってデジタルデータに変換されるなどのデータ処理がなされ、ＳＤＲＡＭ８１に一時的に記憶された後に、取得した動画像とともにメモリカード３１に記録される。また、マイク１７から取得される音声は、セキュリティモードの場合、音声データ処理回路によってデータ処理がなされた後に、一時的にＳＤＲＡＭ８１に記憶され、後述する音声監視部９１によって読み出される。また、スピーカ３４は、音声データ処理回路でデータ処理された操作音、シャッタ音、ＡＦの合焦音などのＥＥＰＲＯＭ８２に予め記憶された音声を出力する。
【００３１】
振動センサ８６（振動検出手段）は、デジタルカメラ５の動作モードが静止画撮影モード、動画撮影モード、及びセキュリティモードである場合に作動し、カメラボディ６の回転を検知し、回転信号として手振れ補正処理回路８７に出力する。
【００３２】
手振れ補正処理回路８７は、静止画撮影モード及び動画撮影モードの場合、回転信号を基にカメラボディ６の振動の大きさを算出し、この振動を打ち消すための補正信号をＣＣＤ６１が設置されている可動台（図示しない）に出力し、可動台ごとＣＣＤ６１を移動させることによってスルー画像や本画像のブレを補正する。また、セキュリティモードの場合には、前述のようにスルー画像及び本画像のブレを補正するだけでなく、補正信号を振動監視部９０にも出力する。
【００３３】
振動監視部９０（振動判定手段）は、セキュリティモード下で動作し、カメラボディ６の振動の大きさを監視する。振動監視部９０は、補正信号を受けると、補正信号に含まれるカメラボディ６の実際の振動の大きさを表す変動量を、ＥＥＰＲＯＭ８２に予め記憶されている変動量の閾値と比較する。その結果、所定の変動量よりも実際の変動量が小さい場合、その後も継続してカメラボディ６の振動の監視を続ける。一方、変動量の閾値よりも実際の変動量が大きい場合、ストロボ発光部１６を発光させ、また、スピーカ３４から音声を出力することで警告を発する。
【００３４】
音声監視部９１（音声判定手段）は、セキュリティモード下で動作し、ＳＤＲＡＭ８１に一時的に記憶されたデジタルカメラ５の周囲の音声（以下、周囲の音声）を順次読み出し監視する。音声監視部９１は、周囲の音声の音量を、ＥＥＰＲＯＭ８２に予め記憶されている音量の閾値と比較し、音量の閾値よりも小さいと判断された場合には、その後も継続して周囲の音声の監視を続ける。一方、音量の閾値よりも周囲の音声の音量が大きい場合、ストロボ発光部１６を発光させ、また、スピーカ３４から音声を出力することで警告を発する。
【００３５】
なお、警告を発するためのストロボ発光部１６の発光パターン及びスピーカ３４から出力する音声は、撮影などの通常の操作で用いられるものとは別に、防犯専用の発光パターン及び音声がＥＥＰＲＯＭ８２に記憶されている。
【００３６】
以下、上記構成による作用について説明する。デジタルカメラ５を用いて撮影を行う場合には、電源をオンにした状態で適切な撮影モードを選択する。例えば、静止画撮影モードを選択すると、沈胴位置に収納されていたレンズ鏡胴１３は、突出位置へ移動され、撮像レンズ１８は開放される。そして、撮影者は、光学ファインダ１４または液晶パネル２１に表示されるスルー画像を確認しながらフレーミングを行い、レリーズボタン１１を押圧操作することによって撮影を実行する。このとき、スルー画像や取得する本画像は、手振れ補正された画像が表示又は記録される。
【００３７】
次に、デジタルカメラ５をセキュリティモードで使用する場合、例えば、自動車内に設置し、自動車用のセキュリティ機器としてデジタルカメラ５を使用するには、電源をオンにした状態で、図４に示すように、自動車９２のダッシュボード９３など、自動車９２内部に、自動車９２の周辺を監視できる位置に設置する。そして、モード切替スイッチ２８を操作して、動作モードをセキュリティモードに設定すると、沈胴位置に収納されていたレンズ鏡胴１３は、突出位置へ移動される。同時に、図５に示すように、振動センサ８６は動作を開始し、カメラボディ６及び自動車９２の振動を監視する。また、同時に、マイク１７から音声の取得が開始され、自動車９２の周囲の音声を監視する。この振動及び音声の監視は、セキュリティモードが実行されている間、継続して行われる。
【００３８】
自動車９２及びカメラボディ６の振動、又は自動車９２の周囲の音声はそれぞれ所定の閾値と比較され、閾値を上回る振動又は音声を検出しない間は、振動及び音声の監視は継続される。一方、閾値を上回る振動又は音声を検出した場合には、ストロボ発光部１６は防犯用の発光パターンで発光し、警告を発する。また、同時に、スピーカ３４からは防犯用の音声が出力されることで警告が発せられる。さらにまた、静止画又は動画の撮影を行い、閾値を上回る振動又は音声の発生源の画像をメモリカードに記憶する。
【００３９】
例えば、図６に示すように、デジタルカメラ５をセキュリティモードに設定後、時刻Ｔ１まではカメラボディ６に振動はあるものの、閾値Ｖ１を上回る大きさの振動は発生していないから、警告は発せず、振動の監視が継続される。しかし、時刻Ｔ１に閾値Ｖ１を上回る振動がカメラボディにおこると、ストロボ発光部１６は防犯用のパターンで発光し、また同時に、スピーカ３４からは防犯用の音声が出力される。これらの防犯用の発光及び音声出力は、時刻Ｔ２になりカメラボディ６の振動が閾値Ｖ１を下回るまで繰り返される。さらにまた、カメラボディ６が閾値Ｖ１を上回る大きさの振動を検出している時刻Ｔ１から時刻Ｔ２に至るまでの間、静止画又は動画の撮影を行い、メモリカード３１に記憶する。そして、時刻Ｔ２に至り、カメラボディ６の振動の大きさが閾値Ｖ１を下回ると、セキュリティモードが終了するまで、再びカメラボディ６の振動の監視は継続される。
【００４０】
また、例えば、図７に示すように、デジタルカメラ５をセキュリティモードに設定後、時刻Ｔ３までは自動車９２の周囲の音声の音量は、閾値Ｖ２を上回る音声は発生していないから、警告は発せず、音声の監視が継続される。しかし、時刻Ｔ３に閾値Ｖ２を上回る音量の音声が自動車９２の周囲で発生したことを検出すると、ストロボ発光部１６は防犯用の発光パターンで発光し、また同時に、スピーカ３４からは防犯用の音声が出力される。これらの防犯用の発光及び音声の出力は、時刻Ｔ４に至り自動車９２の周囲の音声の音量が閾値Ｖ２を下回るまで繰り返される。さらにまた、カメラボディ６が閾値Ｖ２を上回る音量の音声を検出している時刻Ｔ３から時刻Ｔ４に至るまでの間、静止画像又は動画の撮影を行い、メモリカード３１に記憶する。そして、時刻Ｔ４に至り、自動車９２の周囲の音声の音量が閾値Ｖ２を下回ると、セキュリティモードが終了するまで、再び自動車９２の周囲の音声の監視は継続される。
【００４１】
以上のように、ストロボ発光部１６、振動センサ８６、手振れ補正処理回路８７、マイク１７、スピーカ３４など、撮像時などのためにデジタルカメラに備わった部品や機能を用いて自動車用のセキュリティモードを実現するから、デジタルカメラ５を安価なセキュリティ機器として提供することができる。
【００４２】
また、デジタルカメラ５は、その１モードとしてセキュリティモードを備えるから、大掛かりなセキュリティ機器のとは異なり、その設定や設置は容易である。特に設置作業は、通常のセキュリティ機器の場合、配線作業など少なからず技術的な知識を必要とするから、専門業者に委託して設置してもらうことも多いことに比べると、本発明の撮像装置は、モードを切り替えるだけであるから、専門的あるいは技術的知識は不要であり、容易にセキュリティ機能を実現することができる。
【００４３】
なお、本実施形態では、セキュリティモードに設定したデジタルカメラ５を自動車内に設置することで、自動車用のセキュリティ機器としてデジタルカメラを用いる例を示したが、これに限らず、例えば、家屋の窓際などに設置することとで簡易ホームセキュリティ機器として用いることもできる。また、例えば、デジタルカメラ５をセキュリティモードに設定するだけで、デジタルカメラ５自身の盗難を防止することもできる。
【００４４】
なお、本実施形態では、カメラボディ６の姿勢を検知するために振動センサ８６を用いたが、これに限らず、スルー画像を解析することなどによってカメラボディ６の姿勢の変化を検知してもよい。
【００４５】
なお、本実施形態では、カメラボディ６の姿勢の変化に応じてＣＣＤ６１が設置された可動台を移動させることでスルー画像及び本画像の手振れ補正を行うが、これに限らず、例えば、角度の補正が可能なレンズやプリズムを用い、光学系によってスルー画像及び本画像の手振れ補正を行ってもよい。
【００４６】
なお、本実施形態では、自動車９２及びカメラボディ６の振動、又は自動車９２の周囲の音声が犯罪行為に起因するものであると判断された場合に、防犯用の発光パターン及び音声を使用して警告を発するが、これに限らず、撮影などの通常のデジタルカメラ５の使用中に必要な発光パターン及び音声を使用してもよい。例えば、ストロボ発光部１６を撮影時と同様に発光させるだけで、又はシャッタ音をスピーカ３４から出力するだけで、防犯効果は得られる。
【００４７】
なお、本実施形態では、セキュリティモードを解除するまで、デジタルカメラ５は振動及び音声の監視を継続するが、タイマ撮影用のタイマを用いて、セキュリティモードの継続時間を設定できるようにしてもよい。
【００４８】
なお、本実施形態では、振動の閾値Ｖ１を上回る振動がカメラボディ６に発生している間、又は音量の閾値Ｖ２を上回る音量の音声が自動車９２の周囲で発生している間、防犯用の発光パターンでストロボ発光部１６は発光を繰り返し、また、スピーカ３４からは防犯用の音声の出力が続けられたが、これに限らず、例えば、閾値を上回る振動又は音声を検出したら、所定の時間の間、防犯用の発光パターンでストロボ発光部１６を発光させ、スピーカ３４から防犯用の音声の出力をするとしてもよい。このような設定にすることで、閾値を上回る振動又は音声を検出している時間が極端に短い場合にも確実に防犯効果を期待することができる。
【００４９】
なお、本実施形態では、振動の大きさに対する閾値Ｖ１、音声の音量に対する閾値Ｖ２とういように、振動及び音声に対して１つずつの閾値を用いたが、これに限らず、例えば、振動に対する閾値を複数個、及び音声に対する閾値を複数個用いてもよい。このように、複数個の閾値を用いることで、段階的に発光パターンや再生音声を変更することができるから、より効果的な防犯効果を期待することができる。
【００５０】
なお、本実施形態では、ストロボ発光部１６を発光させることで警告を発し、防犯対策を行ったが、これに限らず、ＬＥＤライトなどを点灯あるいは点滅させることによって防犯対策を行ってもよい。
【００５１】
なお、本実施形態では、デジタルカメラを例として説明したがこれに限らず、デジタルビデオカメラ、カメラ付き携帯電話機など、手振れ補正機能又はマイクなどを備えている撮像装置に本発明を適用することができる。
【図面の簡単な説明】
【００５２】
【図１】本発明を実施したデジタルカメラの前面の外観を表す斜視図である。
【図２】本発明を実施したデジタルカメラの背面の外観を表す斜視図である。
【図３】本発明を実施したデジタルカメラの電気的構成を表すブロック図である。
【図４】セキュリティモードに設定したデジタルカメラを自動車内に設置した様子を表す自動車室内の斜視図である。
【図５】セキュリティモードにおける作用を示すフローチャートである。
【図６】振動を監視する様子を示すグラフである。
【図７】音声を監視する様子を示すグラフである。
【符号の説明】
【００５３】
５  デジタルカメラ（撮像装置）
６  カメラボディ（装置本体）
１６  ストロボ発光部（発光部、警告手段）
１７  マイク（音声取得手段）
１８  撮像レンズ
３１  メモリカード（記憶手段）
３４  スピーカ（警告手段）
４０  ＣＰＵ
６１  ＣＣＤ
８１  ＳＤＲＡＭ
８２  ＥＥＰＲＯＭ
８６  振動センサ（振動検出手段）
９０  振動監視部（振動判定手段）
９１  音声監視部（音声判定手段）
９２  自動車
【図１】
2007325183.tif 000003
【図２】
2007325183.tif 000004
【図３】
2007325183.tif 000005
【図４】
2007325183.tif 000006
【図５】
2007325183.tif 000007
【図６】
2007325183.tif 000008
【図７】
2007325183.tif 000009